(57)【要約】【課題】  車両の違反履歴や個人情報、及び盗難車の有無を簡単に照会可能とし、それらの情報を即座に入手可能な車両照会システムを提供する。【解決手段】  携帯端末装置１のカメラ機能１１にて撮影された車両のナンバプレートの画像データは送受信機能１２からネットワーク１００を介してサーバ装置２へと送られる。送受信機能２１は画像データを受信し、画像解析読取り機能２２は受信した画像データからナンバプレートを自動的に解析して読取る。情報保存・検索機能２３はその読取り結果から既にデータベース３に保存・登録されている駐車違反履歴や個人情報を検索して入手し、同時に盗難車の登録を照合する。送受信機能２１は照合結果をネットワーク１００を介して携帯端末装置１に返信する。携帯端末装置１の検索結果表示部１３はその照合結果を表示する。【選択図】      図１                                                  
2005301377.tif 000002
【特許請求の範囲】
【請求項１】
車両のナンバプレ−トを撮影するカメラ機能を含む携帯端末装置と、
前記携帯端末装置から送信されてきた画像データを解析して前記ナンバプレートの文字情報を認識する解析読取り手段と、その解析されたナンバプレ−トの文字情報を既に保存されている違反経歴情報と当該車両の所有者の個人情報と盗難車情報とを少なくとも比較検討する検索手段と、その検索結果を前記携帯端末装置に送信する手段とを含むサーバ装置とを有することを特徴とする車両照会システム。
【請求項２】
前記携帯端末装置と前記サーバ装置との間で情報を送受信するためのネットワ−クを含むことを特徴とする請求項１記載の車両照会システム。
【請求項３】
前記ナンバプレ−トの文字情報に対応して前記違反経歴情報と前記個人情報と前記盗難車情報とを少なくとも蓄積するデータベースを含むことを特徴とする請求項１または請求項２記載の車両照会システム。
【請求項４】
サーバ装置側に、車両のナンバプレ−トを撮影するカメラ機能を含む携帯端末装置から送信されてきた画像データを解析して前記ナンバプレートの文字情報を認識する第１のステップと、その解析されたナンバプレ−トの文字情報を既に保存されている違反経歴情報と当該車両の所有者の個人情報と盗難車情報とを少なくとも比較検討する第２のステップと、その検索結果を前記携帯端末装置に送信する第３のステップとを有することを特徴とする車両照会方法。
【請求項５】
前記携帯端末装置と前記サーバ装置との間でネットワ−クを介して情報の送受信を行うことを特徴とする請求項４記載の車両照会方法。
【請求項６】
前記ナンバプレ−トの文字情報に対応して前記違反経歴情報と前記個人情報と前記盗難車情報とを少なくとも蓄積するデータベースを含み、
前記第２のステップは、前記データベースの内容と前記ナンバプレ−トの文字情報とを比較検討することを特徴とする請求項４または請求項５記載の車両照会方法。
【発明の詳細な説明】
【技術分野】
【０００１】
本発明は車両照会システム及びそれに用いる車両照会方法に関し、特に交通違反車・交通事故車・盗難車等の照会方法に関する。
【背景技術】
【０００２】
従来、この種の照会方法としては、警察官が疑わしき車両（自動車、自動二輪、自転車等）の発見時に、口頭で問い合わせる方法等が一般的である。例えば、警察官がパトロール中にチョ−クを使用して駐車違反車の発見時刻を路上に記録し、一定時間以上駐車している違反車に対して違法駐車を取り締まるため、違反キップを発行し、反則金を期限までに納入させるようにしている。
【０００３】
これに対し、自動で駐車車両の検出を行う方法が提案されている（例えば、特許文献１参照）。この方法では、駐車禁止エリアに監視のための流入側撮影部、流出側撮影部といった機材を配備し、車両が流入した時に撮影したナンバと車両が流出した時の車のナンバとが同一の場合、駐車禁止エリアを通過するのに要した時間を計算し、ある設定値以上の場合、車両が駐車禁止エリアに駐車していたと判定し、駐車したと判定される車両ナンバ情報、画像情報を自動的２４時間収集することができる。
【０００４】
【特許文献１】特開２００２−１９７５８９号公報
【発明の開示】
【発明が解決しようとする課題】
【０００５】
上述した従来の違反車両検出方法では、パトロール中の警察官が違反車の違反履歴や保有者の個人情報等を知ることができず、悪質な駐車違反の常習犯か、一時的な駐車違反者であるか等が不明で、適切な対処方法や指導ができないという問題がある。このため、駐車違反は減らず、警察と駐車違反車とのイタチごっこの状況にある。
【０００６】
また、交通事故発生時に事故車の保有者の調査は免許証や車検証によって、手書きでその調書を作成しているため、調書の作成に手間取り、他の車への交通渋滞等を誘発している。
【０００７】
さらに、暴走族の取り締まり時には、個人の特定に手間取り、有効な手段が無い。さらにまた、盗難車の照会は警察官の勘に頼っていたところが大であり、盗難車であることを迅速に判明させることができない場合が多い。
【０００８】
一方、上述した駐車車両検出装置では、駐車禁止エリアに常時監視のための機器を設置して置く必要があり、限定されたエリアでしか適用することができないという問題がある。
【０００９】
また、上記の駐車車両検出装置を一般の道路すべてに適用しようとする場合には、莫大な費用がかかり、また駐車禁止エリアが数Ｋｍと広範囲に及ぶと、その設置器材が膨大なものとなり、現実的ではない。
【００１０】
さらに、上記の駐車車両検出装置では、その流入と流出とのポイントによって長時間一箇所に駐車したのか、何箇所かを移動しながら停止・駐車を繰り返していたのか等、その駐車禁止の検出精度の信頼性が低下する可能性がある。
【００１１】
そこで、本発明の目的は上記の問題点を解消し、車両の違反履歴や個人情報、及び盗難車の有無を簡単に照会することができ、それらの情報を即座に入手することができる車両照会システム及びそれに用いる車両照会方法を提供することにある。
【課題を解決するための手段】
【００１２】
本発明による車両照会システムは、車両のナンバプレ−トを撮影するカメラ機能を含む携帯端末装置と、
前記携帯端末装置から送信されてきた画像データを解析して前記ナンバプレートの文字情報を認識する解析読取り手段と、その解析されたナンバプレ−トの文字情報を既に保存されている違反経歴情報と当該車両の所有者の個人情報と盗難車情報とを少なくとも比較検討する検索手段と、その検索結果を前記携帯端末装置に送信する手段とを含むサーバ装置とを備えている。
【００１３】
本発明による車両照会方法は、サーバ装置側に、車両のナンバプレ−トを撮影するカメラ機能を含む携帯端末装置から送信されてきた画像データを解析して前記ナンバプレートの文字情報を認識する第１のステップと、その解析されたナンバプレ−トの文字情報を既に保存されている違反経歴情報と当該車両の所有者の個人情報と盗難車情報とを少なくとも比較検討する第２のステップと、その検索結果を前記携帯端末装置に送信する第３のステップとを備えている。
【００１４】
すなわち、本発明の車両照会システムは、駐車違反車等を主とする交通違反車や交通事故車の違反履歴、違反車の個人登録データや盗難車の有無を非常に簡易な方法で照会し、登録されているデータから検索結果を迅速に入手可能とするシステムである。
【００１５】
また、本発明の車両照会システムは、交通事故時の調書作成や暴走族の取り締まり時に、該個人情報の特定を迅速にすることが可能なシステムである。
【００１６】
より具体的に説明すると、本発明の車両照会システムは、車両のナンバプレ−トを写す携帯電話を主体とする送受信機能付カメラ機能と、送信されてきたナンバプレ−トの画像を自動的に解析・認識する画像解析読取り機能と、画像解析されたナンバプレ−トの情報を整理・保存する機能と、既に保存されている違反経歴情報、個人情報、盗難車情報等を比較検討する検索機能と、それらの情報を送受信付カメラ機能との間で送受信するネットワ−クとを有している。
【００１７】
これによって、本発明の車両照会システムでは、一般道路での駐車禁止エリアで警察官がパトロール中に見つけた駐車違反車や交通違反車、そして交通事故での事故車の違反履歴や個人情報を、さらに盗難車であるかを簡単にかつ経済的なユビキタスな方法で照会可能とし、それらの情報が即座に入手可能となる。
【発明の効果】
【００１８】
本発明は、以下に述べるような構成及び動作とすることで、車両の違反履歴や個人情報、及び盗難車の有無を簡単に照会することができ、それらの情報を即座に入手することができるという効果が得られる。
【発明を実施するための最良の形態】
【００１９】
次に、本発明の実施例について図面を参照して説明する。図１は本発明の一実施例による車両照会システムの構成を示すブロック図である。図１において、本発明の一実施例による車両照会システムはカメラ付携帯電話を主体とする携帯端末装置１と、センタ側に設置されるサーバ装置２及びデータベース３と、携帯端末装置１とサーバ装置２とを接続するためのネットワーク１００とから構成されている。
【００２０】
携帯端末装置１はカメラ機能１１と、送受信機能１２と、検索結果表示部１３とから構成されている。サーバ装置２は送受信機能２１と、画像解析読取り機能２２と、情報保存・検索機能２３とから構成されている。携帯端末装置１の送受信機能１２とサーバ装置２の送受信機能２１とはネットワーク１００を介して相互に接続されている。
【００２１】
尚、送受信機能１２が無線にてネットワーク１００に接続され、送受信機能２１が有線にてネットワーク１００に接続される場合、または送受信機能１２が有線にてネットワーク１００に接続され、送受信機能２１が無線にてネットワーク１００に接続される場合、あるいは送受信機能１１，２１が無線または有線にてネットワーク１００に接続される場合等が考えられるが、それらのうちのいずれであっても、本発明は適用可能である。
【００２２】
携帯端末装置１において、カメラ機能１１にて撮影された車両のナンバプレートの画像データは送受信機能１２からネットワーク１００を介してサーバ装置２の送受信機能２１へと送られる。
【００２３】
送受信機能２１はネットワーク１００を介して受信した携帯端末装置１からの画像データを画像解析読取り機能２２へと送出する。画像解析読取り機能２２は受取った画像データからナンバプレートを自動的に解析して読取り、その結果を情報保存・検索機能２３に送出する。
【００２４】
情報保存・検索機能２３は画像解析読取り機能２２の結果から既にデータベース３に保存・登録されている駐車違反履歴（日時、場所、違反頻度、違反内容、他の交通違履歴等）や個人情報を検索して入手し、同時に盗難車の登録を照合する。送受信機能２１は情報保存・検索機能２３の照合結果をネットワーク１００を介して携帯端末装置１に返信する。
【００２５】
携帯端末装置１は、例えば警察官がパトロール中に携帯し、駐車違反している車や交通事故を起こした車、さらには暴走族の車のナンバプレートをその場で写し、その画像データを即座にセンタ側のサーバ装置２に転送することによって、駐車違反歴、交通事故歴、個人情報や盗難車の可能性等を照会するために利用される。尚、上記のシステムにおいては、特に携帯端末装置１からのアクセス時においては、保存されている個人情報の改ざんやなりすましによる個人情報の盗難を防止するために、携帯端末装置１の保有者であることを認証する機能が必要であることはいうまでもない。
【００２６】
図２は本発明の一実施例による車両照会システムの動作を示すシーケンスチャートである。これら図１及び図２を参照して本発明の一実施例による車両照会システムの動作について説明する。
【００２７】
路上でパトロール中の警察官は発見した駐車違反車のナンバプレートを、交通事故や暴走族の場合、その当事者の車のナンバプレートを携帯している携帯端末装置１のカメラ機能１１にて撮影し（図２のａ１）、その画像データを予め指定されたセンタ側のサーバ装置２に送信する（図２のａ２）。
【００２８】
サーバ装置２では画像解析読取り機能２２にて送られてきた画像データからナンバプレートの数字や英文字、場合によっては漢字を自動的に読取り、その結果を情報保存・検索機能２３に送出する（図２のａ３）。
【００２９】
情報保存・検索機能２３は既にデータベース３に登録されている、例えば駐車違反履歴（日時、場所、違反頻度、違反内容）、交通違反や交通事故履歴、さらに盗難車の登録データを画像解析読取り機能２２の読取り結果と照合し（図２のａ４）、その結果を予め決められたフォームで、ネットワーク１００を介して発信者である路上の警察官の携帯端末装置１に返信する（図２のａ５）。
【００３０】
また、警察官の携帯端末装置１ではデータベース３に登録されている車両情報を利用すれば、該当車両の保有者の個人情報を入手することができる。携帯端末装置１の検索結果表示部１３にはサーバ装置２を介して取得した照合結果や個人情報が表示される（図２のａ６）。
【００３１】
以上のように、本実施例では、路上での交通違反車、交通事故車、盗難車に関し、携帯端末装置１のカメラ機能１１にて車両のナンバプレートの画像データを得るだけで、即座に違反や事故の経歴、そして個人情報をユビキタスに入手することが可能となる。また、本実施例では、運転免許証や車検証の情報が何らかの原因で即座に入手することができない場合でも、車の保有者の個人情報を容易に得ることができる。
【００３２】
このように、本実施例では、例えば警察官が路上でのパトロール中や交通取締り中に、あるいは交通事故処理時に使用し、その場で持参している携帯端末装置１のカメラ機能１１で撮影したナンバプレートの写真をセンタに照会するだけで、即座に違反車（者）や交通事故車の違反履歴・事故経歴や個人情報を簡単に照会することができ、さらに盗難車であることも即座に判明可能となる。
【００３３】
また、本実施例では、双方向のデータのやりとりが遠隔で可能となるため、迅速で最適な対処方法が現場で可能となる。さらに、本実施例では、警察官の事務処理時間が少なくなり、事務効率化が図れるとともに、駐車違反の運転手に対する心理面から駐車違反の減少が期待される。
【００３４】
本実施例では、携帯端末装置１にてサーバ装置２を通して入手した駐車違反車の違反履歴や車の保有者の個人情報等によって、警察官が悪質な常習犯か、一時的で軽微な違反者であるか等をその場で判別することができ、違反者に対して最適な対処方法や指導が可能となる。このことによって、本実施例では、心理的にも違反者の減少が期待される。
【００３５】
一方、本実施例では、盗難車の犯人検挙の向上や心理面での犯罪の減少が期待される。また、本実施例では交通事故時の調書作成時間が短縮されるため、交通事故処理時間の短縮を図ることができ、他の車への交通渋滞の影響が緩和される。
【００３６】
その上、本実施例では、警察官の事務処理の効率向上による人件費の削減や、これによって余剰となった交通取締りの担当警察官を他の業務へ振り向けることも期待できる。本実施例では、警察官の業務効率、検挙率向上、交通渋滞や人身事故の減少によって社会全体、国全体、保険会社の損害（保険料の減少）等社会全体への効果が絶大である。
【００３７】
さらに、本実施例では、路上駐車している自転車の登録番号やバイクのナンバプレートの写真によって盗難車であることの検索・照会、バイクの暴走族に対する取締り時に違反車のナンバプレートの写真をセンタ側へ送信することによって、上記と同様に、個人情報や違反経歴が即座に照会可能で、バイクの暴走族の取り締まりにも非常に有効な手段となる。
【００３８】
また、本実施例では、画像データ内に、現在位置を特定可能なマーカの画像データへの写込んで、それに対応させて時刻情報をセンタ側に送ることで、駐車違反の検知も可能となる。
【図面の簡単な説明】
【００３９】
【図１】本発明の一実施例による車両照会システムの構成を示すブロック図である。
【図２】本発明の一実施例による車両照会システムの動作を示すシーケンスチャートである。
【符号の説明】
【００４０】
１  携帯端末装置
２  サーバ装置
３  データベース
１１  カメラ機能
１２，２１  送受信機能
１３  検索結果表示部
２２  画像解析読取り機能
２３  情報保存・検索機能
１００  ネットワーク
【図１】
2005301377.tif 000003
【図２】
2005301377.tif 000004